(57)【要約】【課題】  電源を必要とせず、安価に作成でき、使用者の労力を低減させることができ、さらにはねじをねじ込む力の強さを調整することが可能なドライバーを提供する。【解決手段】  実施形態のドライバーは、ドライバ軸に固着された紐巻き取り部と、前記紐巻き取り部に一端が固着され、前記紐巻き取り部に巻き付けられた状態から固着されていない一端が引っ張られたときに、前記紐巻き取り部を回転させるとともに前記ドライバ軸を回転させる紐とを備えることを特徴とする。【選択図】図１
2012011472.tif 000002
【特許請求の範囲】
【請求項１】
ドライバ軸に固着された紐巻き取り部と、
前記紐巻き取り部に一端が固着され、前記紐巻き取り部に巻き付けられた状態から固着されていない一端が引っ張られたときに、前記紐巻き取り部を回転させるとともに前記ドライバ軸を回転させる紐と、
を備えることを特徴とするドライバー。
【請求項２】
前記紐巻き取り部に一端が係止された渦巻状バネを有し、
前記紐巻き取り部に巻き付けられた前記紐が引っ張られて前記ドライバ軸および前記紐巻き取り部が回転したときに、前記紐巻き取り部の回転に連動して前記渦巻状バネを巻き込み、
引っ張られていた前記紐が離されたときに、前記渦巻状バネの復元力により前記紐を前記紐巻き取り部に巻き取らせるゼンマイ式バネ部をさらに備える
ことを特徴とする請求項１に記載のドライバー。
【発明の詳細な説明】
【技術分野】
【０００１】
本発明の実施形態は、ねじ締めを行うための工具であるドライバーに関する。
【背景技術】
【０００２】
従来、手動でドライバーを使用する場合、手首の稼働範囲が限られるため、ドライバーを素早く且つ連続的に回転させることは困難である。
【０００３】
そこでドライバーを使用する際の操作性を向上させるために、持ち手本体の部分に力をかけ易い構造としたり、電動ドライバーを使用したりすることにより、素早くドライバーを回転させることが考えられる。
【先行技術文献】
【特許文献】
【０００４】
【特許文献１】特開２００８−１８３７００号公報
【発明の概要】
【発明が解決しようとする課題】
【０００５】
しかし、持ち手本体を力のかけ易い構造にしても、やはり手動でドライバーを回転させてねじを完全に締めるためには時間と労力を要するという問題があった。
【０００６】
また、電動ドライバーを利用すると労力を必要とせず素早くドライバーを回転させることができるが、ドライバーの先端がねじ山からはずれた場合等に、無理に回転させようとしてねじ山をつぶしてしまうおそれがあるという問題があった。
【０００７】
また、電動ドラーバーはバッテリーが切れたときなど、電源が確保できない状態では使用することができないという問題があった。
【０００８】
さらに、電動ドライバーは手動のドライバーに比べて高価であり、コストがかかるという問題があった。
【０００９】
本発明は上記事情に鑑みてなされたものであり、電源を必要とせず、安価に作成でき、使用者の労力を低減させることができ、さらにはねじをねじ込む力の強さを調整することが可能なドライバーを提供することを目的とする。
【課題を解決するための手段】
【００１０】
上記目的を達成するための実施形態のドライバーは、ドライバ軸に固着された紐巻き取り部と、前記紐巻き取り部に一端が固着され、前記紐巻き取り部に巻き付けられた状態から固着されていない一端が引っ張られたときに、前記紐巻き取り部を回転させるとともに前記ドライバ軸を回転させる紐とを備えることを特徴とする。
【図面の簡単な説明】
【００１１】
【図１】一実施形態によるドライバーの側面図である。
【図２】一実施形態によるドライバーの紐巻き取り機構を示す部分拡大図である。
【図３】一実施形態によるドライバーの上部断面図である。
【図４】一実施形態によるドライバーの分解斜視図である。
【図５】一実施形態によるドライバーの横断面図である。
【図６】他の実施形態によるドライバーの横断面図である。
【発明を実施するための形態】
【００１２】
本発明の一実施形態によるドライバーの構造を、図１〜４を参照して説明する。
【００１３】
図１は、本実施形態によるドライバー１の側面図であり、図２は本実施形態によるドライバー１の紐巻き取り機構を示す部分拡大図であり、図３は本実施形態によるドライバー１の上部断面図であり、図４は本実施形態によるドライバー１の分解斜視図である。
【００１４】
図１に示すように、ドライバー１は、ねじ山にはめ込むための形状が形成された先端部２１を有する軸２と、筒状の一端に軸２が差し込まれ、手動で軸２を回転させる際に使用者が握る把手３と、把手３の他端に軸２から延伸されて形成された棒状の巻き取り部４と、巻き取り部４の先端に取り付けられたゼンマイ式バネ部５と、ゼンマイ式バネ部５に取り付けられた円盤型の空回り部６と、巻き取り部４およびゼンマイ式バネ部５を囲む中空の円柱状であり空回り部６と一体に形成された外枠７と、巻き取り部４に一端が固着された紐８とを有する。そして、巻き取り部４、ゼンマイ式バネ部５、空回り部６、外枠７、および紐８により、紐巻き取り機構が形成されている。
【００１５】
ゼンマイ式バネ部５は、図４および図５に示すように、渦巻状バネ５１と、底面５２１を有し上端が開口された中空円筒状の内収納部５２と、底面５３１を有し上端が開口された中空円筒状の外収納部５３とを有する。
【００１６】
内収納部５２の上部にはリング状の枠片部５２２が形成され、側面には係止穴５２３が形成され、底面５２１の中心部には貫通穴５２４が形成されている。
【００１７】
また外収納部５３の底面５３１の中心部には中軸５３２が設けられ、中軸５３２には係止穴５３３が形成されている。
【００１８】
外収納部５３に設けられた中軸５３２は内収納部５２に形成された貫通穴５２４に貫通されて内収納部５２が外収納部５３に収納され、内収納部５２には渦巻状バネ５１が収納され、渦巻状バネ５１の外端５１１が係止穴５２３に係止されるとともに内端５１２が係止穴５３３に係止される。
【００１９】
また、内収納部５２の枠片部５２２は空回り部６の底面に固着され、外収納部５３の底面５３１は巻き取り部４の上面に固着されている。
【００２０】
また、外枠７には紐８を通す穴７１が形成され、また図３に示すように、穴７１を通って巻き取り部４に巻き取られた紐８がゆるまないように押さえつけるため、外枠７の内側には巻き取り部４に向かって斜め方向に取り付けられた紐押さえ部７２と、この紐押さえ部７２により紐８を押さえつける力を調整するために外枠７と紐押さえ部７２との間を連結して取り付けられたバネ７３とを有している。また、紐８の固着されていない方の先端には指かけ８１が取り付けられている。
【００２１】
このように構成されたドライバー１において、巻き取り部４に紐８が巻き付けられ、この紐８の指かけ８１が取り付けられた先端が穴７１から外枠７の外に出ている状態で、使用者が空回り部６を持って先端部２１をねじ山にはめ込み、指かけ８１により紐８を引っ張ると、紐８が巻き取り部４からほどけることにより巻き取り部４、把手３、および軸２が連動して回転し、先端部２１にはめ込まれたねじがねじ込まれる。
【００２２】
このとき、巻き取り部４の回転に連動してゼンマイ式バネ部５の外収納部５３が回転し、これにより中軸５３２の係止穴５３３に係止された渦巻状バネ５１の内端５１２が回転して渦巻状バネ５１が回転方向に巻き込まれる。
【００２３】
そして、使用者が指かけ８１により紐８を引っ張った後、空回り部６を持った状態でねじ山からドライバー１の軸２の先端部２１を外し、さらに指かけ８１を離すと、ゼンマイ式バネ部５内の渦巻状バネ５１の復元力により紐８を引っ張ったときと反対方向に外収納部５３、巻き取り部４、把手３、および軸２が回転し、ほどけた紐８がこの回転により巻き取り部４に巻き取られ、再度ねじ込み操作に使用可能な状態になる。
【００２４】
また、使用者が紐８を引っ張った後、把手３を持った状態でねじ山からドライバー１の軸２の先端部２１を外し、さらに紐８を離したときには、渦巻状バネ５１の復元力により外端５１１が係止された内収納部５２、空回り部６および外枠７が回転し、同様に紐８が巻き取り部４に巻き取られて再度ねじ込み使用可能な状態になる。
【００２５】
上述したようにドライバー１の紐８を引っ張ったときの軸２の回転でねじをねじ込んだ後、使用者が把手３を持って手動で最後の微調整を行うことにより、ねじのねじ込み操作が完了する。
【００２６】
また、ねじ込まれているねじをゆるめるときには、ドライバー１の軸２の先端部２１がねじ山にはめ込まれていない状態で、使用者が空回り部４を持って紐８を引っ張ることにより、巻き取り部４から紐８がほどかれゼンマイ式バネ部５が巻き込まれた状態にしておき、その後に先端部２１をねじ山にはめ込み、紐８を離すことにより、ゼンマイ式バネ部５の復元力でねじをねじ込んだときと反対方向に軸２が回転し、ねじをゆるめることができる。
【００２７】
以上の本実施形態のドライバーによれば、電源を必要とせず、安価に作成することができる。また、紐を引っ張ったときの回転力を利用してドライバーの軸を回転させるため、操作時の使用者の労力を低減させることができる。さらには、使用者が紐を引っ張る速度や強さを調整することで、ねじをねじ込む力の強さを容易に調整することができ、電動ドライバーを使用したときのようにねじ山をつぶしてしまうような事態を避けることができる。
【００２８】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００２９】
例えば、図６に示すように外収納部５３の底面５３１に直接把手３を固着させ、外収納部５３の外側に紐８を巻き付けるようにすることで、外収納部５３を巻き取り部としても機能させるようにしてもよい。
【００３０】
このように構成することにより、部品の数を減らすことができ、さらに組み立てを簡易にすることができる。
【符号の説明】
【００３１】
１…ドライバー
２…軸
３…把手
４…巻き取り部
５…ゼンマイ式バネ部
６…空回り部
７…外枠
８…紐
２１…先端部
５１…渦巻状バネ
５２…内収納部
５３…外収納部
７１…穴
７２…紐押さえ部
７３…バネ
５１１…外端
５１２…内端
５２１…底面
５２２…枠片部
５２３…係止穴
５２４…貫通穴
５３１…底面
５３２…中軸
５３３…係止穴
【図１】
2012011472.tif 000003
【図２】
2012011472.tif 000004
【図３】
2012011472.tif 000005
【図４】
2012011472.tif 000006
【図５】
2012011472.tif 000007
【図６】
2012011472.tif 000008